(57)【要約】  充電器３０は、携帯電子機器３２に電気的に接続され、通信可能に接続される。充電器はＡＣ／ＤＣコンバータ３４と、コントローラ３６と、充電器メモリ３８と、充電器ケーブル４０と、認証モジュール４２とを備える。充電器コントローラ３６は、無線携帯電話機メモリ５２を充電器メモリ３８と同期させることによって当該機器メモリ５２からのデータを処理する手段を提供する。充電器コントローラ３６は、無線携帯電話機メモリ５２に関連付けられたデータのコピーを作成するように構成される。充電器コントローラは、このコピーを無線携帯電話機５０が充電されるたびに同期する。コントローラは、続けて、このデータのコピーを、充電器メモリ３８に格納する。したがって、充電器メモリ３８は、携帯電子機器が充電される度に更新される。
2013535154.tif 000002
【特許請求の範囲】
【請求項１】
特定の携帯電子機器に電気的及び通信可能に接続されるように構成された特定の充電器であって、
交流電流を直流電流に変換し、前記特定の携帯電子機器を充電するＡＣ／ＤＣコンバータと、
充電器筐体内に収納されたコントローラと、
前記充電器筐体内に収納される充電器メモリであって、前記コントローラに通信可能に接続され、前記特定の携帯電子機器に関連付けられる前記充電器メモリと、
前記コントローラ及び前記ＡＣ／ＤＣコンバータに動作可能に接続される充電器ケーブルであって、特定の携帯電子機器メモリを有する前記特定の携帯電子機器とインターフェースをとるように構成された第１のケーブルインターフェース端を有し、
前記携帯電子機器メモリからのデータを前記充電器メモリに伝達するように構成された少なくとも１つのデータケーブルと、
前記直流電流を前記携帯電子機器に送るように構成された電源ケーブルと
を備える充電器ケーブルと、
前記充電器に付随する認証モジュールであって、前記特定の携帯電子機器メモリが前記特定の充電器と関連付けられていることを確認するように構成された前記充電器認証モジュールと、
前記特定の携帯電子機器メモリからのデータを前記充電器メモリと同期させるように構成された前記コントローラと
を備える特定の充電器。
【請求項２】
前記携帯電子機器とインターフェースをとる、前記充電器ケーブルの前記第１のケーブルインターフェース端は、ＵＳＢケーブルインターフェースを備える請求項１に記載の特定の充電器。
【請求項３】
前記充電器ケーブルは、前記特定の充電器とインターフェースをとるように構成された第２のケーブルインターフェース端を更に備える請求項１に記載の特定の充電器。
【請求項４】
前記充電器メモリは、前記充電器筐体から取り外し可能である請求項１に記載の特定の充電器。
【請求項５】
前記特定の電子機器は、内部メモリを備える無線携帯電話機であり、
前記充電器メモリは、前記内部メモリと同期するように構成される請求項１に記載の特定の充電器。
【請求項６】
前記特定の電子機器は、外部メモリを備える無線携帯電話機であり、
前記充電器メモリは、前記外部メモリと同期するように構成される請求項５に記載の特定の充電器。
【請求項７】
前記充電器メモリは、前記充電器筐体から取り外し可能であり、
前記充電器メモリは、別の無線携帯電話機に装着されるように構成され、
前記別の無線携帯電話機は、前記特定の充電器によって充電されるように構成される請求項６に記載の特定の充電器。
【請求項８】
特定の無線携帯電話機に電気的及び通信可能に接続されるように構成された特定の充電器であって、
交流電流を直流電流に変換し、前記無線携帯電話機を充電するＡＣ／ＤＣコンバータと、
充電器筐体内に収納された処理手段と、
前記充電器筐体内に収納された充電器メモリであって、前記処理手段に通信可能に接続され、前記特定の無線携帯電話機に関連付けられる充電器メモリと、
前記処理手段及び前記ＡＣ／ＤＣコンバータに動作可能に接続される充電器ケーブルであって、特定の無線携帯電話機メモリを有する前記無線携帯電話機とインターフェースをとるように構成された第１のケーブルインターフェース端を有し、
前記無線携帯電話機メモリからのデータを前記充電器メモリに伝達するように構成された少なくとも１つのデータケーブルと、
前記直流電流を前記無線携帯電話機に送るように構成された電源ケーブルと
を備える充電器ケーブルと、
前記充電器に付随する認証モジュールであって、前記特定の無線携帯電話機メモリが前記特定の充電器と関連付けられていることを確認するように構成された充電器認証モジュールと、
前記特定の無線携帯電話機メモリからのデータを前記充電器メモリと同期させるように構成された前記処理手段と
を備える特定の充電器。
【請求項９】
前記無線携帯電話機とインターフェースをとる、前記充電器ケーブルの前記第１のケーブルインターフェース端は、ＵＳＢケーブルインターフェースを備える請求項８に記載の特定の充電器。
【請求項１０】
前記充電器ケーブルは、前記特定の充電器とインターフェースをとるように構成された第２のケーブルインターフェース端を更に備える請求項８に記載の特定の充電器。
【請求項１１】
前記充電器メモリは、前記充電器筐体から取り外し可能である請求項８に記載の特定の充電器。
【請求項１２】
前記無線携帯電話機は、内部メモリを備え、
前記充電器メモリは、前記内部メモリと同期するように構成される請求項８に記載の特定の充電器。
【請求項１３】
前記無線携帯電話機は、外部メモリを備え、
前記充電器メモリは、前記外部メモリと同期するように構成される請求項１２に記載の特定の充電器。
【請求項１４】
前記充電器メモリは、前記充電器筐体から取り外し可能であり、
前記充電器メモリは、別の無線携帯電話機に装着されるように構成され、
前記別の無線携帯電話機は、前記充電器によって充電されるように構成される請求項１２に記載の充電器。
【請求項１５】
充電器が携帯電子機器に付随するメモリを格納する方法であって、
交流電流を直流電流に変換し、前記携帯電子機器を充電するＡＣ／ＤＣコンバータと、
充電器筐体内に収納されたコントローラと、
前記充電器筐体内に収納された充電器メモリであって、前記コントローラに通信可能に接続され、前記特定の携帯電子機器に関連付けられる充電器メモリと、
前記コントローラ及び前記ＡＣ／ＤＣコンバータに動作可能に接続される充電器ケーブルであって、特定の携帯電子機器メモリを有する前記携帯電子機器とインターフェースをとるように構成された第１のケーブルインターフェース端を有し、
前記携帯電子機器メモリからのデータを前記充電器メモリに伝達するように構成された少なくとも１つのデータケーブルと、
前記直流電流を前記携帯電子機器に送るように構成された電源ケーブルと
を備える充電器ケーブルと、を備える充電器を電源に固定して接続することと、
前記充電器に付随する認証モジュールで、前記特定の携帯電子機器メモリが前記特定の充電器と関連付けられていることを確認することと、
前記特定の携帯電子機器メモリからのデータを前記充電器メモリと同期させることとを含む方法。
【請求項１６】
前記充電器メモリを前記充電器筐体から取り外すことを更に含む請求項１５に記載の方法。
【請求項１７】
前記特定の電子機器は、内部メモリを備える無線携帯電話機であり、
前記充電器メモリは、前記内部メモリと同期するように構成される請求項１６記載の方法。
【請求項１８】
前記無線携帯電話機は外部メモリを備え、
前記充電器メモリは、前記外部メモリと同期するように構成される請求項１７記載の方法。
【請求項１９】
前記充電器メモリは、前記充電器筐体から取り外し可能であり、
前記充電器メモリを別の無線携帯電話機に装着することと、
前記別の無線携帯電話機を、前記充電器メモリ内のデータをダウンロード可能にさせることとを更に含む請求項１８に記載の方法。
【請求項２０】
前記別の無線携帯電話機を前記特定の充電器によって充電可能とすることと、
前記別の無線携帯電話機を前記特定の充電器によって同期可能とすることとを含む請求項１９に記載の方法。
【発明の詳細な説明】
【技術分野】
【０００１】
本発明は、携帯電子機器に関連付けられた充電器の筐体内にデータを格納する装置及び方法に関する。より具体的には、本発明は、特定の携帯電子機器の充電中に当該携帯電子機器メモリと同期する充電器メモリを有する特定の充電器に関する。
【背景技術】
【０００２】
携帯電子機器は、データ格納、情報管理、及び他の電子機器との通信のために、個人が使用する機器であり、広く普及している。携帯電子機器の例としては、移動電話、無線携帯電話機、個人用のディスプレイアダプタ、セルラー方式電話、無線通信機器、デジタル及びアナログのデータ・音声レコーダ、センサ、ポケットベル、腕時計、ビデオディスプレイ機器、オーディオ機器、デジタルカメラ、ビデオレコーダ、及びその他の携帯電子機器が挙げられる。
【０００３】
一般的に、移動電話のような携帯電子機器は、データケーブル又はＢｌｕｅｔｏｏｔｈ接続によって、当該電子機器内に格納されたデータをパーソナルコンピュータ（ＰＣ）と同期させる。この動作では、パーソナルコンピュータに付随するクライアントソフトウェアを用いて、携帯電子機器のデータがパーソナルコンピュータにコピーされる。この処理は、ユーザのパーソナルコンピュータにソフトウェアをロードする必要があり、また、パーソナルコンピュータのドライバが携帯電子機器に対応する必要があるため、不便で、時間がかかり、困難であり得る。この携帯電子機器をＰＣへ接続する作業が完了したとしても、当該作業は不規則な間隔で行われる。
【０００４】
さらに、携帯電子機器の紛失又は盗難の可能性により、データ紛失の可能性は更に増す。このような場合、失われたデータは、特にこのデータがＰＣに未同期の場合には、非常に貴重である。例えば多忙なビジネスマンにとっては、データ紛失はかなりの負担となるであろう。
【０００５】
したがって、例えば電話といった携帯電子機器のメモリが安全であるように、メモリを保護する装置及び方法を提供することは有益であろう。
【０００６】
また、携帯電子機器を紛失した又は盗まれたとしても、その携帯電子機器のデータを保護する装置及び方法を提供することは有益であろう。
【０００７】
さらに、実装するのに費用効率のよい装置及び方法を提供することは有益であろう。
【発明の概要】
【０００８】
携帯電子機器に電気的及び通信可能に接続される充電器について説明する。この充電器は、ＡＣ／ＤＣコンバータと、コントローラと、充電器メモリと、充電器ケーブルと、認証モジュールとを備える。コントローラは上記特定の携帯電子機器メモリを充電器メモリと同期させることによって、当該機器メモリからのデータを処理する手段を提供する。当該携帯電子機器の例としては、無線携帯電話機がある。
【０００９】
ＡＣ／ＤＣコンバータは、交流電流を直流電流に変換し、前記特定の携帯電子機器を充電する。コントローラは、充電器筐体内に収納される。充電器メモリは、コントローラに通信可能に接続され、特定の携帯電子機器に関連付けられる。充電器ケーブルは、コントローラ及びＡＣ／ＤＣコンバータに動作可能に接続され、充電器ケーブルは、特定の携帯電子機器メモリを有する特定の携帯電子機器とインターフェースをとるように構成された第１のケーブルインターフェース端を有する。充電器ケーブルは、携帯電子機器メモリからのデータを充電器メモリに伝達するように構成された少なくとも１つのデータケーブルと、直流電流を携帯電子機器に送るように構成された電源ケーブルとを備える。充電器に付随する認証モジュールは、特定の携帯電子機器メモリが特定の充電器と関連付けられていることを確認するように構成される。コントローラは、特定の携帯電子機器メモリからのデータを充電器メモリと同期させるように構成される。
【００１０】
また、携帯電子機器とインターフェースをとる、充電器ケーブルの第１のケーブルインターフェース端は、ＵＳＢケーブルインターフェースを備えていてもよい。更に、充電器ケーブルは、上記特定の充電器とインターフェースをとるように構成された第２のケーブルインターフェース端を備えてもよい。また、充電器メモリは充電器の筐体から取り外し可能であってもよい。
【００１１】
例示の実施形態において、当該特定の電子機器は、内部メモリを備える無線携帯電話機であり、充電器メモリは、この内部メモリに同期するように構成される。無線携帯電話機は外部メモリを備えていても良く、充電器メモリは、この外部メモリに同期するように構成される。充電器メモリは、充電器の筐体から取り外し可能で、別の無線携帯電話機に装着されてもよく、この別の無線携帯電話機は、上記特定の充電器によって充電されるように構成される。
【００１２】
充電器が、携帯電子機器に付随するメモリを格納する方法は、充電器を電源に固定接続可能とすることを含む。この方法では、続けて、充電器に付随する認証モジュールで、当該特定の携帯電子機器メモリと当該充電器との関連付けを確認する。そして、この特定の携帯電子機器メモリからのデータが、前記充電器メモリに同期される。
【００１３】
この充電器メモリはまた、充電器の筐体から取り外し得る。また、上記方法は、続けて、充電器メモリを別の無線携帯電話機に装着して、この別の無線携帯電話機が充電器メモリ内のデータをダウンロードできるようにしてもよい。上記方法はまた、この別の無線携帯電話機を上記特定の充電器によって充電可能として、当該別の無線携帯電話機をこの特定の充電器によって同期可能としてもよい。
【図面の簡単な説明】
【００１４】
限定ではなく例示目的で提供される以下の図面の参照によって、本発明の理解がより深まるであろう。
【図１】図１は、例示の従来の充電システムを示す。
【図２】図２は、無線携帯電話機が電気的に及び通信可能に接続される、データストレージを有する例示の充電器を示す。
【図３Ａ】図３Ａは、２つの異なる充電器が例示の無線携帯電話機に接続される、異なるケーブル接続をそれぞれ示す。
【図３Ｂ】図３Ｂは、２つの異なる充電器が例示の無線携帯電話機に接続される、異なるケーブル接続をそれぞれ示す。
【図４】図４は、内部メモリ及び外部メモリを有する例示の携帯電話機の詳細図を示す。
【図５】図５は、充電器が、携帯電子機器に付随するメモリを格納する方法の例示的フローチャートを示す。
【発明を実施するための形態】
【００１５】
当業者には、以下の説明が、例示目的であり、全く限定的でないことが分かるであろう。この開示から恩恵を受ける当業者であれば、請求される発明の対象の他の実施形態を容易に想到するであろう。以下に記載する充電器、無線携帯電話機、及び方法は、その構成及び詳細について異なり得ることが、当業者には理解されるであろう。
【００１６】
特定の携帯電子機器に電気的及び通信可能に接続されるように構成された特定の充電器について説明する。当該特定の充電器は、ＡＣ／ＣＤコンバータと、コントローラと、充電器メモリと、充電器ケーブルと、認証モジュールとを備える。コントローラは、当該特定の携帯電子機器メモリと充電器メモリを同期させることによって当該機器メモリからのデータを処理する手段を提供する。例示の携帯電子機器は、無線携帯電話機である。
【００１７】
図１に、従来の充電システム１０を示す。この充電システムは、例示の無線携帯電話機１４を充電する充電器１２を備える。この充電器は、プラグ１８から受け取った交流電流を直流電流に変換するＡＣ／ＤＣコンバータ１６を備え、例示のケーブル２０によって無線携帯電話機１４を充電する。充電システム１０は、単に携帯電子機器、つまり無線携帯電話機１４の充電動作を行うのみである。
【００１８】
図２に、例示の充電器３０を示す。充電器３０には、無線携帯電話機等の携帯電子機器３２が電気的及び通信可能に接続される。この充電器は、ＡＣ／ＤＣコンバータ３４と、コントローラ３６と、充電器メモリ３８と、充電器ケーブル４０と、認証モジュール４２とを備える。
【００１９】
例示の携帯電子機器は、無線携帯電話機３２である。無線携帯電話機３２は、送受信部４６に動作可能に接続されるアンテナ４４を備える。無線携帯電話機３２は更に、充電器３０によって充電されるバッテリ４８を備える。無線携帯電話機のプロセッサ５０は、ケーブル４０によって充電器のコントローラ３６に通信可能に接続されるように構成される。無線携帯電話機メモリ５２は、無線携帯電話機３２に関するデータを格納する。
【００２０】
動作中、充電器のコントローラ３６は、無線携帯電話機メモリ５２と充電器メモリ３８とを同期させることによって当該機器メモリ５２からのデータを処理する手段を提供する。充電器のコントローラ３６は、無線携帯電話機メモリ５２に付随するデータのコピーを作成するように構成される。充電器のコントローラは、無線携帯電話機５０が充電される度に、そのコピーを同期させる。コントローラは、続けて、充電器メモリ３８にデータのコピーを格納する。従って、携帯電子機器が充電される度に、充電器メモリ３８は更新される。
【００２１】
ＡＣ／ＤＣコンバータ３４は、交流電流を直流電流に変換して、無線携帯電話機３２を充電する。コントローラ３６は、充電器３０の筐体内に収納される。充電器メモリ３８もまた、充電器３０の筐体内に収納される。充電器メモリ３８はコントローラ３６と通信可能に接続され、充電器メモリ３８は無線携帯電話機３２に関連付けられる。
【００２２】
充電器ケーブル４０は、コントローラ３６及びＡＣ／ＤＣコンバータ３４に、動作可能に接続される。例示の充電器ケーブル４０は、特定の無線携帯電話機メモリ５２を有する無線携帯電話機３２とインターフェースをとるように構成された第１のケーブルインターフェース端６４（図３Ａ参照）を有する。
【００２３】
充電器ケーブル４０は、無線携帯電話機メモリ５２からのデータを充電器メモリ３８に伝達するように構成された少なくとも１つのデータケーブルと、直流電流を携帯電子機器へ送るように構成された電源ケーブルとを備える。
【００２４】
充電器３０に付随する認証モジュール４２は、無線携帯電話機３２と当該特定の充電器３０との関連付けを確認するように構成される。認証モジュール４２は、携帯電話機３２に関連付けられた電子シリアル番号（Ｅｌｅｃｔｒｏｎｉｃ  Ｓｅｒｉａｌ  Ｎｕｍｂｅｒ  （ＥＳＬ））を読み出すことにより、特定の無線携帯電話機３２からのデータをコピーするように構成される。ＥＳＮは、移動機器を一意に識別するものであり、その長さは３２ビットである。未割当の使用可能なＥＳＮの供給がない場合は、移動機器ＩＤ（Ｍｏｂｉｌｅ  Ｅｑｕｉｐｍｅｎｔ  ＩＤ（ＭＥＩＤ））と呼ばれる新しいシリアル番号を使用することもできる。無線携帯電話機については、番号割り当てモジュール（Ｎｕｍｂｅｒ  Ａｓｓｉｇｎｍｅｎｔ  Ｍｏｄｕｌｅ  （ＮＡＭ））及び機体識別番号（Ｍｏｂｉｌｅ  Ｉｄｅｎｔｉｆｉｃａｔｉｏｎ  Ｎｕｍｂｅｒ（ＭＩＮ））を使用して、特定の無線携帯電話機を識別することができる。ＭＩＮは、通信事業者によって管理されるデータベースに格納され、いつでも変更可能である。コントローラ３６は、無線携帯電話機メモリ５２を充電器メモリ３８と同期させるように構成される。
【００２５】
図３Ａに、別の充電器６２を無線携帯電話機３２に接続する、別の例示のケーブル６０を示す。ケーブル６０は、第１のケーブルインターフェース端６４を備える。充電器ケーブル６０の第１のケーブルインターフェース端６４は、限定的ではなく一例として、マイクロＵＳＢケーブルインターフェース等のＵＳＢケーブルインターフェースである。例示のマイクロＵＳＢのポート及びプラグは、一部の充電インターフェースより小さく、また頑丈である。また、マイクロＵＳＢは、不測に外れてしまうのを防ぐためのロック機構を備える。
【００２６】
例示の充電器６２は、ＡＣ／ＤＣコンバータ６５と、メモリ６６と、ＣＰＵ６８とを備える。例示の充電器６２は、無線携帯電話機３２からデータの流れを処理及び制御する手段を提供するＣＰＵを備える。
【００２７】
図３Ｂに、充電器７２を無線携帯電話機３２に接続する、別のケーブル７０を示す。この例示の実施形態では、充電器ケーブル７０は、第１のケーブルインターフェース端６４と、充電器７４とインターフェースをとるように構成された第２のケーブルインターフェース端７４とを備える。限定的ではなく一例として、第２のケーブルインターフェース端７４もまた、ＵＳＢインターフェースであり得る。
【００２８】
充電器７２は、ＡＣ／ＤＣコンバータ７８と、フラッシュメモリ８０と、中央処理装置９０とを備える。この例示の実施形態において、充電器メモリ８０は、充電器の筐体から取り外すことができるフラッシュメモリである。また、充電器メモリ８０は、ユーザの特定のニーズに合うように拡張可能であり得る。無線携帯電話機は、例えば、８ＧＢの外部フラッシュメモリと２ＧＢの内部メモリとを有し、充電器メモリを１６ＧＢとすることができる。
【００２９】
そして、充電器メモリ８０を別の無線携帯電話機（例えば無線携帯電話機１００）に装着して、別の無線携帯電話機１００に、充電器メモリ８０内のデータをダウンロードさせることができる。この方法によれば、別の無線携帯電話機１００を、当該特定の充電器７２によって充電し、当該特定の充電器７２によって同期させることができる。
【００３０】
図４は、内部メモリと外部メモリとを有する例示の無線携帯電話機１００の詳細図を示す。例示の無線携帯電話機１００は、無線通信機器、移動携帯電話機、移動電話、無線電話、携帯電話機、セルラー方式電話、携帯電話、パーソナル・デジタル・アシスタント（ＰＤＡ）、又はその他の、通常ユーザにより持ち運ばれて、無線通信システムにおける動作に必要な全ての要素を有する移動端末としても見なすことができる。当業者には、無線通信機器、無線携帯電話機、移動携帯電話機、無線電話、及び移動電話は、置き換え可能であると理解されるであろう。
【００３１】
例示のマルチモード無線携帯電話機１００は、デュプレクサ１０４に動作可能に接続される第１のアンテナ素子１０２と、マルチモード受信機モジュール１０８とを備える。デュプレクサ１０４は、マルチモード送信機モジュール１０６に動作可能に接続される。アンテナ素子１０２は、ディスプレイ筐体（図示せず）、キーパッド筐体（図示せず）、又はこれらの組み合わせのいずれかに装着される。
【００３２】
例示のコントロールモジュール１１８は、デジタル信号プロセッサ（ＤＳＰ）１１２と、プロセッサ１１４と、ＣＯＤＥＣ１１６とを備え、これらは送信機１０６と受信機１０８とに通信可能に接続される。通常、送信機モジュールと受信機モジュールとは対を成し、送受信機の形態をとることが、当業者には理解されるであろう。ＤＳＰ１１２は、アンテナ１０２、マルチモード送信機モジュール１０６、及びマルチモード受信機モジュール１０８の制御などの各種動作を実行するように構成され得る。
【００３３】
プロセッサ１１４は、キーパッド１２０と、外部メモリ１２２と、内部メモリ１２４と、カメラ１２６とに動作可能に接続される。また、プロセッサ１１２は、ＣＯＤＥＣモジュール１１６に動作可能に接続される。ＣＯＤＥＣモジュール１１６は、符号化及び復号化動作を実行し、マイク１２８及びスピーカ又はリンガ１３０に通信可能に接続する。ＣＯＤＥＣモジュール１１６は更にディスプレイ（図示せず）に通信可能に接続され、動画用の符号化・復号化動作を提供する。
【００３４】
内部メモリ１２４とは、無線携帯電話機に内蔵されるメモリのことである。外部メモリ１２２は、フラッシュメモリチップカード等の、内部メモリを補うために使用されるメモリである。一実施形態において、外部メモリ１２２は、フラッシュメモリチップカード８０である。無線携帯電話機１００は、外部メモリ１２２としてフラッシュメモリチップカード８０を装着することで、充電器７２からデータをダウンロードできる。
【００３５】
無線携帯電話機１００は、充電器３０、６２、及び７２のいずれかによって充電されるように構成される。この例示の実施形態では、充電器メモリ３８、６６、及び８０は、内部メモリ１２４と同期するように構成される。無線携帯電話機が更に外部メモリ１２２を含み、充電器メモリ３８、６６、及び８０が外部メモリ１２４と同期するように構成されてもよい。
【００３６】
図５に、充電器が、例えば無線携帯電話機３２といった携帯電子機器に付随するメモリを格納する方法の例示的フローチャートを示す。この方法は、充電器が電源又はパワーサプライに取り付けられる、ブロック２１２で開始する。例示の実施形態では、例示の電力はＡＣコンセントから供給され、充電器は、この電源に固定して接続される。
【００３７】
ブロック２１４において、携帯電子機器が充電器ケーブルに取り付けられる。例示の方法では、２１６において、充電器が無線携帯電話機３２を充電する。
【００３８】
判定のダイヤモンド２１８において、当該特定の無線携帯電話機が、当該特定の充電器と関連付けされているかを判定する。より具体的には、当該特定の充電器に付随した認証モジュールが、当該特定の携帯電子機器メモリを当該充電器に関連付ける、確認ステップが行われる。例えば、認証モジュール４２（図３）は、充電器３０を無線機器３２に具体的に関連付ける、無線機器３２の確認ステップを実行する。そして、当該特定の携帯電子機器メモリからのデータが充電器メモリに同期される。したがって、充電器メモリと無線携帯電話機３２との間の同期処理は、当該特定の携帯電話機３２でのみ行われ得る。
【００３９】
次に、ブロック２２０において、携帯電話機メモリが充電器メモリと同期される。例えば、充電器のコントローラ３６は、無線携帯電話機メモリ５２と充電器メモリ３８とを同期させることによって当該機器メモリ５２からのデータを処理する手段を提供する。充電器のコントローラ３６は、当該無線携帯電話機メモリ５２に付随するデータのコピーを作成するように構成される。充電器のコントローラは、無線携帯電話機５０が充電される度に、そのコピーを同期させる。コントローラは、続けて、充電器メモリ３８に、そのデータのコピーを格納する。
【００４０】
また、前述のように、充電器メモリは、充電器の筐体から取り外し得る。この方法は、続けて、充電器メモリを別の無線携帯電話機１００に装着して、この別の無線携帯電話機１００が充電器メモリ内のデータをダウンロードできるようにしてもよい。この方法は、この別の無線携帯電話機を当該特定の充電器によって充電可能とすることと、この別の無線携帯電話機を当該特定の充電器によって同期可能とすることとを更に含んでもよい。
【００４１】
例示の実施形態の詳細の説明は、例示目的で提供されたことを理解されたい。本発明の特許請求の範囲は、これらの具体的な実施形態又は例に限定されるものではない。よって、様々な処理の制限、要素、詳細、及び用途は、上述のものと異なる場合もあり、また、商業的に未だ実現可能でない技術を使用して拡張又は実装可能であり、しかもなお、本開示の発明の概念の範囲内であり得る。本発明の範囲は、以下の特許請求の範囲及びそれらの法的に均等な範囲によって定められる。
【図１】
2013535154.tif 000003
【図２】
2013535154.tif 000004
【図３Ａ】
2013535154.tif 000005
【図３Ｂ】
2013535154.tif 000006
【図４】
2013535154.tif 000007
【図５】
2013535154.tif 000008
【国際調査報告】
2013535154.tif 000009
2013535154.tif 000010
2013535154.tif 000011